(57)【要約】【解決手段】ハウジングと、舌状部モジュールと、複数の第１の端子と、複数の第２の端子およびハウジングおよび舌状部内に組み立てられた端子と、ハウジングに組み付けられた金属シェルとを備える電気コネクタ。舌状部モジュールは、ハウジングに組み付けられ、これら第１の端子は、インサート成形により舌状部モジュール内に配置される。各第１の端子は、舌状部モジュール内に埋め込まれた伸長部を有する。舌状部モジュールの下面は、これら第１の端子の間の複数の第２の端子受け入れスロットを有する。２つの隣接する第１の端子の間の間隔は、第２の端子受け入れスロットの幅より大きい。舌状部モジュールの上面は、複数の端子受け入れスロットを有する。【選択図】なし
2013528317.tif 000002
【特許請求の範囲】
【請求項１】
電気コネクタであって、
複数の第２の端子経路および第３の端子経路を含むハウジングと、
舌状部モジュールであって、該舌状部モジュール内に一体化して配置された複数の第１の端子を含み、各第１の端子が、前記舌状部モジュールに囲われた伸長部と、第１の伸長部の一端から伸び、前記舌状部モジュールの下部の先端から露出した第１の接触部と、前記第１の伸長部の他端から伸び、前記舌状部モジュールから外へ伸びる第１のハンダ付け部と、を有し、前記舌状部モジュールが、下面上に複数の第２の端子受け入れスロットをさらに含み、複数の第３の端子受け入れスロットが前記舌状部モジュールの上面上に位置付けられる、舌状部モジュールと、
前記第２の端子経路に位置する複数の第２の端子であって、該第２の端子の各々が第２の接触部および第２のハンダ付け部を有する第２の端子と、
前記第３の端子経路に位置する複数の第３の端子であって、該第３の端子の各々が第３の接触部および第３のハンダ付け部を有する第３の端子と、
前記ハウジングに組み付けられた金属シェルとを備え、
前記ハウジングと前記金属シェルとの間の組み合わせ部の先端にプラグ穴およびプラグインスペースが形成されて、前記プラグ穴が内向きに伸び、前記第１の端子、および２つの隣接する第１の端子の第１の伸長部間の距離が前記第２の端子の受け入れスロットの幅よりも大きく、前記舌状部が、前記ハウジングに組み付けられて、前記プラグインスペースの内側に置かれ、前記第１の端子の第１のハンダ付け部が前記ハウジングから外へ伸び、前記第２の端子が前記舌状部モジュールの受け入れスロット内に伸び、前記第２の端子の前記第２の接触部が前記舌状部モジュールの下面の外へ露出し、前記第２のハンダ付け部が前記ハウジングからの外へ伸び、前記複数の第３の端子が前記舌状部モジュールの第３の端子受け入れスロット内に伸び、前記複数の第３の端子の前記第３の接触部が前記舌状部モジュールの下面から下に露出し、前記第３のハンダ付け部が前記ハウジングから外へ伸びる電気コネクタ。
【請求項２】
前記第１の端子の第１の伸長部および第１の接触部が同じ平面上にある請求項１に記載の電気コネクタ。
【請求項３】
前記舌状部モジュールが半伸長ボードをさらに備え、これは、前記ハウジングの基部から前記プラグ穴の方向に突出して伸びることにより形成され、前記半伸長ボードに対応する位置で前記舌状部モジュールの上面が内向きに落ち込んで、陥没領域を形成し、前記半伸長ボードが前記陥没領域に受け入れられ、各端子受け入れスロットの一部が前記半伸長ボード上に位置し、前記第３の端子経路に連結され、一方で各第３の端子受け入れスロットの別の部分が前記舌状部モジュールの上面に位置する、請求項１に記載の電気コネクタ。
【請求項４】
前記ハウジングが基部であって、該基部の前端部および後端部に伸びる組み立てスロットを有する基部を有し、前記第３の端子経路および前記第２の端子経路が、それぞれ、前記組み立てスロットの上側および下側に置かれ、前記舌状部モデルが組み立て部および該組み立て部から前記プラグ穴の方向に伸びる舌状部を有し、前記組み立て部は、組み立てられ、かつ前記ハウジングの組み立てスロットに固定され、前記舌状部が前記プラグインスペース内へ伸びる請求項１〜３のいずれか１項に記載の電気コネクタ。
【請求項５】
前記舌状部モジュールの組み立て部が複数の第１の固定部を有し、前記ハウジングが組み立てスロット内に複数の第２の固定部を有し、該第２の固定部が前記第１の固定部上に配置されている請求項４に記載の電気コネクタ。
【請求項６】
前記第１の固定部が前記舌状部モジュールの前記下面上の内側のくぼみにより形成された取付穴であり、前記第２の固定部が前記組み立てスロットの前記内側底面から外へ突出する取り付けブロックであり、前記取り付けブロックと取り付けバックルが前記取付穴内で嵌合する請求項５に記載の電気コネクタ。
【請求項７】
前記舌状部モジュールが下向きに複数の位置決め支持ブロックまで伸び、前記ハウジングが前記位置決め支持ブロックを受け入る複数の位置決め受け入れスロットを有する請求項５に記載の電気コネクタ。
【請求項８】
前記半伸長ボードが前記プラグ穴の方向に複数の楔形ブロックまで伸び、前記舌状部モジュールが前記楔形ブロックに対応する位置に複数の楔形の穴を形成し、前記楔形ブロックが前記楔形の穴に挿入される請求項３に記載の電気コネクタ。
【請求項９】
前記第１の端子の数が５個であり、中心に位置する第１の端子を除き、残りの第１の端子が、中心に位置する第１の端子の２つの対向する側に２つの対として、別々に配設され、それらの形状が中心に位置する第１の端子に対して鏡像関係を有し、対になった第１の端子の第１の伸長部が前記第１の接触接続経路の中心および対向する外側に対し偏心的に位置付けられる請求項１に記載の電気コネクタ。
【請求項１０】
前記第１の端子が前記第２の端子と連携して、ユニバーサル・シリアル・バス（ＵＳＢ）３．０信号を伝達するように使用されるように構成され、前記第２の端子が独立にＵＳＢ２．０信号を伝達するように使用されるように構成され、前記第３の端子が外付けシリアル・アドバンスド・テクノロジー・アタッチメント（ＥＳＡＴＡ）信号を伝達するように使用されるように構成される請求項１に記載の電気コネクタ。
【発明の詳細な説明】
【技術分野】
【０００１】
（関連出願）
本出願は、２０１０年６月７日出願の台湾特許出願第９９１１８３４３号、２０１０年６月７日出願の台湾特許出願第９９２１０７８１号、２０１０年６月７日出願の台湾特許出願第９９２１０７８０号、および２０１０年６月７日出願の台湾特許出願第９９２１０７８２に基づく優先権を主張する。これら全ての特許出願は、参照によりその全体が本明細書に組み込まれる。
【０００２】
本発明は、電気コネクタおよびその組立方法に関し、具体的には、複数プラグ接続用の複合電気コネクタに関する。
【背景技術】
【０００３】
既知の電気コネクタ、例えば、台湾特許出願第９７２１９１７０号（対応米国公開特許第ＵＳ２００９／０１１１３３０Ａ１号）は、標準的ＵＳＢ２．０、ＵＳＢ３．０およびＥＳＡＴＡコネクタを、それぞれ接続できるソケット電気コネクタを開示しており、これには、絶縁ハウジングと、そのハウジングをカバーする金属シェルと、形成され、かつハウジングから分離されている端子モジュールと、が含まれる。端子モジュールは、ハウジングに取り付けられた一組の絶縁体を有する。絶縁体の先端は、結合スペース内に伸び、結合舌状部を形成し、結合舌状部の上面は第１の結合面を形成し、下面は第２の結合面を形成する。複数の第１の端子タイプ（ＥＳＡＴＡコネクタ端子）は、第１の結合面上に位置付けられる。複数の第２の端子タイプ（標準ＵＳＢ２．０コネクタ端子）は、第１の結合面上に位置付けられる。複数の第３の端子タイプ（第２の端子タイプに適合し、連携してＵＳＢ３．０コネクタ端子を形成する）は、絶縁体の内側に位置する。第３の端子タイプは、端子モジュールと一体化した方法を使って最も良好に形成され、大略、絶縁体の中心に位置している。従って、第３の端子タイプは、第１および第２の端子タイプの間に位置しており、第３の端子タイプの先端は、第２の結合面内に伸び、第２の結合空間内に露出している。
【０００４】
上述の既知の特許は、ＵＳＢ２．０、ＵＳＢ３．０およびＥＳＡＴＡ複合ソケットコネクタを開示し、第３の端子タイプ（第２の端子タイプに適合し、連携してＵＳＢ３．０コネクタ端子を形成する）は、絶縁体内に埋め込まれ、端子モジュールに一体化される。しかし、薄型端子モジュール（舌状部）上に３つの端子タイプを配設する必要があるという事実により、このようなタイプの電気コネクタのための空間は、非常に限られており、舌状部の厚さ方向においては、３つの端子タイプは、交互配列にしなければならない。上述の第３の端子タイプ（ＵＳＢ３．０端子）は、第１の端子タイプ（ＥＳＡＴＡコネクタ端子）と第２の端子タイプ（ＵＳＢ２．０端子）との間に位置する必要がある。このような配設方法は、事実上、舌状部の強度を低下させ、さらには、ＵＳＢ２．０端子の形成の弾性変形のための空間が制限され、第３の端子タイプ（ＵＳＢ３．０端子）の位置を越えることができず（干渉が起こる）、従って、端子の弾性形成能力に、再び、影響を与える。さらに、分離された端子モジュール（舌状部）と絶縁体の間の固定構成物との接着強度の課題が存在する。また、上述の特許では、これらのタイプのコネクタならびに構成品の製造容易性および組み立ての容易さの問題に関しては考察および開示がされなかった。従って、改良されたコネクタがあれば関係者には高く評価されるであろう。
【発明の概要】
【課題を解決するための手段】
【０００５】
電気コネクタは、複数の第２の端子経路および第３端子経路を有するハウジングを備える。舌状部モジュールおよびインサート成形により舌状部内に配置された複数の第１の端子を備える舌状部モジュールが、ハウジング内に位置付けられる。これらの第１の端子の各々は、舌状部の下面先端部に伸びて露出した第１の接触部および舌状部から外へ伸びた第１のハンダ付け部を有する。複数の第２の端子が提供され、第２の端子の各々は、第２の接触部および第２のハンダ付け部を有する。複数の第３端子もまた、提供され、第３の端子の各々は、第３の接触部および第３のハンダ付け部を有する。複数の第２および第３の端子は、それぞれの端子経路内に位置する。金属シェルは、プラグ穴および舌状部モジュール周辺に伸びる先端部のプラグインスペース（その中で、プラグ穴が内向きに伸びている）を提供するようにハウジングに組み付けられる。複数の第２の端子受け入れスロットが、舌状部モジュールの下面と第１の端子との間に位置付けられる。２つの隣接した第１の端子の第１の伸長部の間の間隔は、第２の端子の受け入れスロットの幅よりも大きい。第１の端子の第１のハンダ付け部は、ハウジングから外へ伸びており、第２の端子は、それに対応して、ハウジングの第２の端子経路内に設置され、舌状部モジュールの第２の端子の受け入れスロット内に伸びている。第２の端子の第２の接触部は、舌状部モジュールの下面の外へ露出しており、第２のハンダ付け部は、ハウジングから外へ伸びている。複数の第３の端子受け入れスロットは、舌状部モジュールの上面に位置付けられ、第３の端子は、それに対応して、第３の端子受け入れスロット内に伸びている。複数の第３の端子の第３の接触部は、舌状部モジュールの下面の外へ露出され、第３のハンダ付け部は、ハウジングから外へ伸びることができる。
【０００６】
詳細な説明が例として図示されるが、付随する図に限定されるものではない。これらの図で、同様の参照番号は、類似の要素を示す。
【図面の簡単な説明】
【０００７】
【図１】電気コネクタの第１の実施形態の斜視図を示す。
【図２】図１に示した実施形態の別の斜視図を示す。
【図３】図１に示した実施形態の分解斜視図を示す。
【図４】図１に示したハウジングの実施形態の断面斜視図を示す。
【図５】舌状部モジュールの実施形態の斜視図を示す。
【図６】図５のＡ部の拡大図である。
【図７】図５に示した舌状部モジュールの別の斜視図を示す。
【図８】第１の端子の実施形態の平面図を示す。
【図９】舌状部モジュールの実施形態の平面図を示す。
【図１０】舌状部モジュール内での使用に適した端子の実施形態の簡略化した斜視図を示す。
【図１１】図１０に示した端子の立面上面図を示す。
【図１２】第１の端子、第２の端子および第３の端子の実施形態の斜視図を示す。
【図１３】図１２に示した実施形態の立面側面図を示す。
【図１４】コネクタの実施形態の金属シェルを除いた簡略化した平面図を示す。
【図１５】図１４に示した実施形態の線１５−１５に沿った断面図を示す。
【図１６】図１４に示した実施形態の立面正面図を示す。
【図１７】図１６に示した実施形態の線１７−１７に沿った断面図を示す。
【図１８】図１６に示した実施形態の線１８−１８に沿った断面図を示す。
【図１９】部分的に組み立てたコネクタの簡略化した斜視図を示す。
【図２０】図１９の部分的に組み立てたコネクタの簡略化した斜視図で、追加の製造ステップを示す。
【図２１】図２０の部分的に組み立てたコネクタの簡略化した斜視図で、追加の製造ステップを示す。
【図２２】図２０の部分的に組み立てたコネクタの簡略化した斜視図で、追加の製造ステップを示す。
【図２３】図２２に示した端子を設置したコネクタの斜視図を示す。
【図２４】一緒に結合されるように構成された追加の構成要素と共に、図２３に示したコネクタの分解斜視図を示す。
【図２５】電気コネクタの第２の実施形態の分解斜視図を示す。
【図２６】第３の端子が組み立てられていない状態の図２５に示した実施形態の部分分解斜視図を示す。
【図２７】図２５に示したコネクタの簡略化した金属シェルを除いた立面正面図を示す。
【図２８】図２７に示した実施形態の線２８−２８に沿った断面図を示す。
【図２９】電気コネクタの第３の実施形態の分解斜視図を示す。
【図３０】図２９に示した実施形態で使用するのに適したハウジングの実施形態の断面斜視図を示す。
【図３１】図３０に示した領域Ａの拡大図を示す。
【図３２】舌状部モジュールの実施形態の斜視図を示す。
【図３３】図３２に示した領域Ａの拡大図を示す。
【図３４】図２９に示した実施形態の金属シェルを除いた立面正面図を示す。
【図３５】図３４に示した実施形態の線３５−３５に沿った断面図を示す。
【発明を実施するための形態】
【０００８】
以下の詳細な説明では、例示的な実施形態について記載するが、明示的に開示された組み合わせに限定する意図はない。従って、別段の指示がなければ、本明細書に開示の特徴は、一緒に組み合わされて、そうでなければ簡潔さの目的のために示されなかった追加の組み合わせを形成してもよい。
【０００９】
記載される開示は、インサート成形により舌状部モジュール内に一体化して配置された複数の第１の端子を開示する。隣接した２つの第１の端子の第１の伸長部間の間隔は、第２の端子の受け入れスロットの幅よりも大きく、それにより、第１の端子および第２の端子の位置が舌状部モジュールの厚さ方向でより近くにすることができ、空間位置の一部で重なり合わせることができ、さらに、舌状部モジュールの表面の幅方向で交互配列にすることができ、第２の端子のための充分な空間の変形および移動を可能とする。従って、第２および第３の端子の組み立ての間、干渉の発生を避けることができ、一方で、同時に、第１の端子と第３の端子との間で、舌状部モジュールの厚さ方向での間隔を増やすことができる。従って、それらの間の肉厚を増やすことにより、舌状部モジュールの強度が高められる。さらに、本発明は、電気コネクタの組み立て方法を提供し、それにより、そのタイプの複合電気コネクタが容易に製造、組み立てることができる。
【００１０】
図１および２を参照すると、記載された開示は、ＥＳＡＴＡ／ＵＳＢ３．０複合電気コネクタを提供し、その先端は、共用プラグ穴５０１を有し、少なくともＥＳＡＴＡプラグ、ＵＳＢ２．０プラグまたは複合ＥＳＡＴＡ／ＵＳＢプラグのための接続するプラグを提供するために使われる。上記のＥＳＡＴＡは、外付けシリアル・アドバンスド・テクノロジー・アタッチメント（Ｅｘｔｅｒｎａｌ  Ｓｅｒｉａｌ  Ａｄｖａｎｃｅｄ  Ｔｅｃｈｎｏｌｏｇｙ  Ａｔｔａｃｈｍｅｎｔ）の略である。ＵＳＢは、ユニバーサル・シリアル・バス（Ｕｎｉｖｅｒｓａｌ  Ｓｅｒｉａｌ  Ｂｕｓ）の略である。関連するコネクタ標準および参照基準を有する適切な団体により公開された標準については、本明細書では詳述しない。
【００１１】
図１〜１８では、電気コネクタの第１の実施形態が示されている。電気コネクタは、絶縁材料から形成されてもよいハウジング１と、絶縁材料から同様に形成されてもよい舌状部モジュール２と、複数の第１の端子２２と、複数の第２の端子３と、複数の第３の端子４と、金属シェル５と、を備える。
【００１２】
ハウジング１は、基部１１と、基部１１の両側から前方に伸びることにより形成されている２つのアーム１２と、を備える。基部１１は、複数の第２の端子経路１３、組み立てスロット１５および複数の第３の端子経路１４を形成し、第２の端子経路１３、組み立てスロット１５および第３の端子経路１４は、基部１１の前端および後端に伸び、第３の端子経路１４および第２の端子経路１３は、それぞれ、組み立てスロット１５の上側と下側に位置している。
【００１３】
舌状部モジュール２は、絶縁材料から作られた舌状部モジュール２１と、インサート成形により舌状部モジュール２１内に配置された複数の第１の端子２２と、を備える。舌状部モジュール２１は、対応する上面２１１および下面２１２を有する。
【００１４】
理解することができるように、各第１の端子２２は、舌状部モジュール２１の内側に配置された第１の伸長部２２１、伸長部２２１の一端から伸び、舌状部モジュールの下部２１２の先端から露出している第１の接触部２２２、ならびに第１の伸長部２２１の他端から伸び、舌状部モジュール２１から外へ伸びている第１のハンダ付け部２２３を有する。第１の端子２２の第１の伸長部２２１および第１の接触部２２２は、同じ平面上にある。
【００１５】
舌状部モジュール２１の下面２１２は、第１の端子２２の間に複数の第２の端子受け入れスロット２３を有する。隣接する２つの第１の端子の第１の伸長部２２１の間の間隔は、第２の端子の受け入れスロット２３の幅より大きい。舌状部モジュール２１の上面２１１は、別々に複数の第３の端子受け入れスロット２４を有する。ハウジング１の第２の端子経路１３は、対応するように、第２の端子受け入れスロット２３に連結され、第２の端子３は、対応するように、その上に組み立てられる。第３の端子経路１４は、対応するように、第３の端子受け入れスロット２４に連結され、第３の端子４は、対応するように、その上に組み立てられる。
【００１６】
舌状部モジュール２１の上面２１１は、第３の端子受け入れスロット２４の上部に伸び、第３の端子４を押さえつけるために使用される保持ブロック２６を、各第３の端子受け入れスロット２４の少なくとも一方側上に有する。舌状部モジュール２１の上面２１１は、第３の端子受け入れスロット２４のそばの複数の突出リブ２７を有する。保持ブロック２６は、そのリブ２７の上に形成される。
【００１７】
図３から解るように、各第２の端子３は、第２の固定部３１と、第２の固定部３１の一端から伸びる第２の接触部３２と、第２の固定部３１の他端から伸びている第２のハンダ付け部３３を有する。各第３の端子４は、第３の固定部４１と、第３の固定部４１の一端から伸びる第３の接触部４２と、固定部４１の他端から伸びる第３のハンダ付け部４３を有する。
【００１８】
図で示すように、第１の端子２２の数は５である。第２の端子３の数は、４である。第３の端子４の数は、７であり、第１の端子２２は、第２の端子３と連携して端子として使われ、ＵＳＢ３．０信号を伝達する。第２の端子３は、独立に端子として使用され、ＵＳＢ２．０信号を伝達できる。第３の端子４は、ＥＳＡＴＡ信号の伝達のための端子として使用される。
【００１９】
金属シェル５は、ハウジング１に組み付けられ、ハウジング１と金属シェル５との組み合わせは、その先端にプラグ穴５０１、およびプラグ穴５０１から内向きに伸びるプラグインスペース５０２を形成する。
【００２０】
舌状部モジュール２１は、ハウジング１に組み付けられて固定され、プラグインスペース５０２の内側に位置される。第１の端子２２のハンダ付け部２２３は、ハウジング１から外へ伸びる。理解することができるように、舌状部モジュール２１の図示した構成物は、組み立て部２１３、および組み立て部２１３からプラグ穴５０１の方向に伸びる舌状部２１４を有する。組み立て部２１３は、組み立てられ、ハウジング１の組み立てスロット１５上に固定され、舌状部２１４は、プラグインスペース５０２内に伸びる。第３の端子受け入れスロット２４は、舌状部２１４上に位置する。
【００２１】
第２の端子３は、対応するように、ハウジング１の第２の端子経路１３内に設置され、舌状部モジュール２１の第２の端子受け入れスロット２３まで伸びる。第２の端子３の第２の固定部３１は、ハウジング１上に固定された第２の端子経路１３と干渉する。第２の接触部３２は、舌状部モジュール２１の下面２１２上に露出される。第２のハンダ付け部３３は、ハウジング１から外へ伸び、第１のハンダ付け部２２３の前部に位置する。
【００２２】
第３の端子４は、対応するように、ハウジング１の第３の端子経路１４内に設置され、舌状部モジュール２１の第３の端子受け入れスロット２４まで伸びる。第３の端子４の第３の固定部４１は、ハウジング１の基部１１の内側に固定された第３の端子経路１４と干渉する。第３の接触部４２は、舌状部モジュール２１の上面２１１上に露出される。第３のハンダ付け部４３は、ハウジング１から外へ伸び、第２の端子受け入れスロット２３の下の第１のハンダ付け部の後部に位置する。保持ブロック２６は、第３の端子受け入れスロット２４のそばに置かれ、第３の端子４の第３の接触部４２を押さえつけるので、端子４を、確実に配置することができ、第３の端子４の反りや座屈が防止できる。電気コネクタは、上述の構成を通して形成することができる。
【００２３】
２つの隣接する第１の端子２２の第１の伸長部２２１間の間隔は、第２の端子受け入れスロット２３の幅より大きいので、第１の端子２および第２の端子３の位置は、舌状部モジュール２１の厚さ方向で近くなり、空間的に重なり合うことができ、舌状部モジュール２１の表面の幅方向で交互配列とすることができ、それにより、第２の端子３および第３の端子４の組み立ての間の干渉の発生を避けることができる。これは、第２の端子３のための充分な空間の変形および移動の提供を補助する。
【００２４】
舌状部モジュール２１の組み立て部２１３は、複数の第１の固定部２１５を有する。ハウジング１は、組み立てスロット１５内の複数の第２の固定部１５１を有する。第２の固定部１５１および第１の固定部２１５は、相互に嵌合され、固定される。本実施形態では、第１の固定部１１５は、舌状部モジュール２１の下面２１２の内側くぼみにより形成された取付穴である。第２の固定部１５１は、組み立てスロット１５の内側底面から突き出ている取り付けブロックである。取り付けブロックと取り付けバックルは取り付け穴内で嵌合し、その結果、ハウジング１の組み立てスロット１５内の舌状部モジュール２１の組み立て部２１３を固定する。
【００２５】
舌状部モジュール２１は、別々に、複数の位置決め支持ブロック２５まで、下方向に伸びる。ハウジング１は、複数の位置決め受け入れスロット１６を有する。位置決め支持ブロック２５は、対応するように、その位置に収容され、受け入れスロット１６が、舌状部モジュール２１に堅牢な保持力を付与し、その結果、大きなトルク作用に耐えることができる。
【００２６】
上述の５つの第１の端子２２の内で、中心に位置する第１の端子２２を除いて、残りの第１の端子２２は、別々に、中心に位置する第１の端子２２の２つの対向する側に２つの対で配設され、それらの形状が中心に位置する第１の端子２２に対し鏡像関係を有することに留意されたい。対になった第１の端子２２の第１の伸長部２２１は、第１の接触経路２２２の中心および対向する外側に対し偏心的に位置付けられる。対になった第１の端子２２は、対になった信号を伝達するのに使用される。本実施形態では、第１の２つの対になった端子２２の第１の接触部２２２から第１のハンダ付け部２２３までの長さは同じであり、そのため、信号の伝達経路は、等距離であり、従って、信号偏向とひずみを防ぐのに役立つ。
【００２７】
電気コネクタは、さらに、絶縁材料から作られた位置決め部６を含む。位置決め部６は、前から後ろに、上面と下面を横切る複数の位置決め穴６２、６１および６３を形成する。位置決め部６０は、ハウジング１の後端に、底部から頂部へ組み付けられ、第１の端子２２の第１のハンダ付け部２２３、第２の端子３の第２のハンダ付け部３３および第３の端子の第３のハンダ付け部４３は、対応するように、位置決め穴６１、６２および６３に差し込まれ、位置決め効果を実現させ、それらが相互に接触することを防ぐ。
【００２８】
次に、図１９〜２４を参照すると、組み立て方法は、いくつかのステップを含むことができる。しかし、所望する場合、他の組み立て方法も、使用可能であることに留意されたい。ハウジング１が提供される。ハウジング１は、複数の第２の端子経路１３および複数の第３の端子経路１４を含む。
【００２９】
さらに、舌状部モジュール２１が提供される。複数の第１の端子２２が、舌状部モジュール２１内に配置され、それらは、インサート成形プロセスによりそのように位置付けられてもよい。第１の端子２２の第１のハンダ付け部２２３は、舌状部モジュール２１から外へ水平に伸びる。舌状部モジュール２１の下面２１２は、複数の第２の端子受け入れスロット２３を有し、一方、舌状部モジュール２１の上面２１１は、複数の第３の端子受け入れスロット２４を有し、第２の端子受け入れスロット２３は、第１の端子２２の間に位置され、２つの隣接する第１の端子２２の第１の伸長部２２１の間隔は、第２の端子受け入れスロット２３の幅より大きい。
【００３０】
舌状部モジュール２１は、ハウジング１に組み付けることができる。次に、複数の第２の端子３をハウジング１の第２の端子経路１３内に設置することができ、それにより、それらは、舌状部モジュール２１の下面２１２上の第２の端子受け入れスロット２３まで伸長し、第２の端子３１の第２の接触部３２は、舌状部モジュール２１の下面２１２上に露出される。第２の端子３の第２のハンダ付け部３３は、ハウジング１から外へ伸びる。
【００３１】
第１の端子２２の第１のハンダ付け部２２３は、次に、曲げられて、第１の端子２２の第１のハンダ付け部２２３を、ハウジング１から外へ伸ばし、第２のハンダ付け部３３の後方に位置させることができる。次に、複数の第３の端子４は、ハウジング１の第３の端子経路１４内に設置することができ、それにより、それらが、舌状部モジュール２１の下面２１１上の第３の端子受け入れスロット２４まで伸び、第３の端子４の第３の接触部４２は、舌状部モジュール２１の下面２１１上に露出される。第３の端子４の第３のハンダ付け部４３はハウジング１から外へ伸び、第１のハンダ付け部２２３の後方に位置される。
【００３２】
次に、位置決め部６が提供される。位置決め部６は、複数の位置決め穴６１、６２および６３を有する。位置決め部６は、ハウジング１の後端に底部から頂部へ向けて組み付けられ、第１の端子２２の第１のハンダ付け部２２３、第２の端子３の第２のハンダ付け部３３および第３の端子４の第３のハンダ付け部４３は、対応するように、位置決め穴６１、６２および６３内に挿入される。次に、金属シェル５２をハウジング１の外側に組み付けることができる。
【００３３】
次に、図２５〜２８を参照すると、電気コネクタの第２の実施形態が図示されている。各第３の端子４は、第３の固定部４１と第３の接触部４２との間に位置付けられ、屈曲させられ、かつ下向きに伸び、第３の接触部４２が第３の固定部４１の位置よりも低い位置にすることを可能とする、屈曲部４４をさらに備える。
【００３４】
図２９〜３５を参照すると、電気コネクタの第３の実施形態での使用に適した特徴が図示されている。理解することができるように、舌状部モジュール２１は、半伸長ボード１７をさらに備え、これは、ハウジング１の基部１１からプラグ穴５０１の方向に突き出て、伸びることにより形成される。舌状部モジュール２１の上面２１１は、半伸長ボード１７に対応する位置で内側に落ち込んで、陥没領域２１６を形成する。半伸長ボード１７の先端は、複数の楔形ブロック１８までプラグ穴５０１の方向に伸び、舌状部モジュール２１は、楔形ブロック１８に対応する位置で複数の楔形の穴２１７を形成する。本実施形態の第３の端子受け入れスロット２４は、第１の部分２４１と第２の部分２４２により連携して形成され、第１の部分２４１は、半伸長ボード１７上に位置し、第３の端子経路１４に連結され、一方、第２の部分２４２は、舌状部モジュール２１の上面２１１上に位置される。
【００３５】
組み立ての間、ハウジング１の半伸長ボード１７は、舌状部モジュール２１の陥没領域２１６内に収容され、楔形ブロック１８は、適合し、楔形の穴２１７に挿入され、その結果、舌状部モジュール２に対する支持作用を提供する。第３の端子４の第３の固定部４１は、第３の端子受け入れスロット２４のうちの１つに対し２つの第１の部分と干渉し、その上に固定される。
【００３６】
さらに、各第３の端子受け入れスロット２４の近くで、舌状部モジュール２１の上面２１１は、第３の端子受け入れスロット２４の第１の部分２４１の上部まで伸び、第３の端子４を押さえつけるのに使われる保持ブロック２８を有し（図３１参照）、これは、同様に、第３の端子４の位置決めの効果を実現し、反りおよび座屈を防止することができる。  
【００３７】
理解することができるように、電気コネクタは、舌状部モジュール内にインサート成形された複数の第１の端子を配置することができる。２つの隣接する第１の端子の間隔は、第２の端子受け入れスロットの幅よりも大きく、そのために、第１の端子および第２の端子の位置は、垂直の方向または舌状部モジュールの第１の方向でより近くすることができ、重なり合うことができ、かつ舌状部モジュールの表面の幅方向で交互配列にすることができ、これにより、第２の端子の空間の変形と移動が可能となる。従って、第２および第３の端子の組み立ての間、干渉の発生を避けることができ、一方で、同時に、第１の端子と第３の端子との間の舌状部モジュールの厚さ方向での空間を増やすことができる。さらに、開示の組み立て方法は、特定の電気コネクタを容易に製造および組み立てることを可能とする。
【００３８】
本明細書で提供される開示は、その好ましく、かつ、例示的な実施形態の観点から特徴を記載している。当業者なら本開示の検討から、添付した特許請求の範囲と趣旨内で、多くの他の実施形態、修正および変形を生じるであろう。
【図１】
2013528317.tif 000003
【図２】
2013528317.tif 000004
【図３】
2013528317.tif 000005
【図４】
2013528317.tif 000006
【図５】
2013528317.tif 000007
【図６】
2013528317.tif 000008
【図７】
2013528317.tif 000009
【図８】
2013528317.tif 000010
【図９】
2013528317.tif 000011
【図１０】
2013528317.tif 000012
【図１１】
2013528317.tif 000013
【図１２】
2013528317.tif 000014
【図１３】
2013528317.tif 000015
【図１４】
2013528317.tif 000016
【図１５】
2013528317.tif 000017
【図１６】
2013528317.tif 000018
【図１７】
2013528317.tif 000019
【図１８】
2013528317.tif 000020
【図１９】
2013528317.tif 000021
【図２０】
2013528317.tif 000022
【図２１】
2013528317.tif 000023
【図２２】
2013528317.tif 000024
【図２３】
2013528317.tif 000025
【図２４】
2013528317.tif 000026
【図２５】
2013528317.tif 000027
【図２６】
2013528317.tif 000028
【図２７】
2013528317.tif 000029
【図２８】
2013528317.tif 000030
【図２９】
2013528317.tif 000031
【図３０】
2013528317.tif 000032
【図３１】
2013528317.tif 000033
【図３２】
2013528317.tif 000034
【図３３】
2013528317.tif 000035
【図３４】
2013528317.tif 000036
【図３５】
2013528317.tif 000037
【国際調査報告】
2013528317.tif 000038
2013528317.tif 000039